(57)【要約】【課題】帽体の内周側に頭部に装着させるリング状になったヘッドバンドが設けられると共に、顎に装着させる顎紐が設けられたヘルメットにおいて、その重量が大きくなって、コストが高くつくということがなく、ヘッドバンドや顎紐の長さを適切に調整することが一度の操作で簡単に行え、ヘルメットを頭部に装着したり、頭部から取り外したりすることが短時間で簡単に行えるようにする。【解決手段】帽体の内周側に頭部に装着させるリング状になったヘッドバンドが設けられると共に、顎に装着させる顎紐が設けられてなるヘルメットにおいて、上記のリング状になったヘッドバンドの少なくとも一端がスライド可能に設けられて周囲長が変更可能になっていると共に、このスライド可能になったヘッドバンドが上記の顎紐と連動するように連結させた【選択図】  図１
2004250831.tif 000002
【特許請求の範囲】
【請求項１】
帽体の内周側において頭部の周囲に装着させるリング状のヘッドバンドが設けられると共に、顎に装着させる顎紐が設けられてなるヘルメットにおいて、上記のリング状になったヘッドバンドの少なくとも一端がスライド可能に設けられて周囲長が変更可能になっていると共に、このスライド可能になったヘッドバンドが上記の顎紐と連動するように連結されてなることを特徴とするヘルメット。
【請求項２】
請求項１に記載したヘルメットにおいて、上記のリング状になったヘッドバンドの両端がスライド可能に設けられて周囲長が変更可能になっていることを特徴とするヘルメット。
【請求項３】
請求項１又は請求項２に記載したヘルメットにおいて、上記のスライド可能になったヘッドバンドの端部に連結部材を介して上記の顎紐が連結されていることを特徴とするヘルメット。
【発明の詳細な説明】
【０００１】
【発明の属する技術分野】
この発明は、建設作業、土木作業、その他の各種作業時や、オートバイ等の運転時や、震災時等において、頭部防護のために着用されるヘルメットに係り、特に、帽体の内周側において頭部周囲に装着させるリング状のヘッドバンドが設けられると共に、顎に装着させる顎紐が設けられてなるヘルメットにおいて、ヘッドバンドの長さや顎紐の長さを適切に調整することが簡単に行えるようにした点に特徴を有するものである。
【０００２】
【従来の技術】
従来より、建設作業、土木作業、その他の各種作業時や、オートバイ等の運転時や、震災時等において、頭部防護のためにヘルメットが着用されている。
【０００３】
ここで、このようなヘルメットにおいては、衝撃が直接頭部に加わらないように、帽体の内周側にハンモック等の緩衝機構を介して頭部の周囲に装着させるリング状のヘッドバンドを設け、着用者の頭部の大きさに合わせて、このヘッドバンドの長さを調整し、ヘルメットが頭部からずれるのを防止するようにし、さらに顎に装着させる顎紐を設け、この顎紐の長さを調整して、ヘルメットが頭部から外れたりするのを防止するようにしていた。
【０００４】
特に、近年においては、企業等においてヘルメットを各個人が所有するということが少なく、１つのヘルメットを複数の人間で使用するため、上記のようにヘッドバンドの周囲長や、顎紐の長さを調整する機会が多くなっている。
【０００５】
そして、上記のようにヘッドバンドの周囲長を調整するにあたっては、ラック・ピニオン形式を採用したものや、ウォームネジ機構を用いたもの等が知られている（例えば、特許文献１、特許文献２、特許文献３。）。
【０００６】
しかし、上記のようにしてヘッドバンドの周囲長を調整する場合、機構が複雑で操作が面倒であると共に、ヘルメットが重くなり、またコストが高くつくという問題があった。
【０００７】
さらに、上記のようなヘルメットにおいては、上記のようにしてヘッドバンドの周囲長を調整した後、顎紐の長さを調整するようにしており、ヘルメットを頭部に装着するのに、ヘッドバンドと顎紐との２つの調整が必要になり、またヘルメットを頭部から取り外す場合にも、顎紐とヘッドバンドとの２つを緩める必要があり、ヘルメットを頭部に装着したり、頭部から取り外したりする作業が非常に面倒で、時間がかかるという問題があった。
【０００８】
【特許文献１】
特開平８−２７６１３号公報
【特許文献２】
特開平７−２９３５１５号公報
【特許文献３】
特開平１１−３０２９１５号公報
【０００９】
【発明が解決しようとする課題】
この発明は、帽体の内周側において頭部の周囲に装着させるリング状のヘッドバンドが設けられると共に、顎に装着させる顎紐が設けられてなる従来のヘルメットにおける上記のような問題を解決することを課題とするものである。
【００１０】
すなわち、この発明においては、上記のようなヘルメットにおいて、ヘルメットが重くなったり、コストが高くついたりするということがなく、ヘッドバンドの長さや顎紐の長さを適切に調整することが一度の操作で簡単に行え、ヘルメットを頭部に装着したり、頭部から取り外したりすることが短時間で簡単に行えるようにすることを課題とするものである。
【００１１】
【課題を解決するための手段】
この発明においては、上記のような課題を解決するため、帽体の内周側において頭部の周囲に装着させるリング状のヘッドバンドが設けられると共に、顎に装着させる顎紐が設けられてなるヘルメットにおいて、上記のリング状になったヘッドバンドの少なくとも一端がスライド可能に設けられて周囲長が変更可能になっていると共に、このスライド可能になったヘッドバンドが上記の顎紐と連動するように連結させたのである。
【００１２】
そして、この発明におけるヘルメットのように、スライド可能になったヘッドバンドを顎紐と連動するように連結させると、顎紐と連動してヘッドバンドがスライドしてその周囲長が変更されるようになり、顎紐を操作するだけで、ヘッドバンドの周囲長と顎紐の長さとをまとめて調整できるようになり、ヘルメットを頭部に装着したり、頭部から取り外したりすることが短時間で簡単に行えるようになる。また、従来のようにヘッドバンドの周囲長を調整するためだけの機構を設ける必要もなくなり、ヘルメットが軽量化されると共に、コストも低減できるようになる。
【００１３】
ここで、この発明のヘルメットにおいて、スライド可能になったヘッドバンドを顎紐と連動させるにあたっては、例えば、スライド可能になったヘッドバンドの端部に、連結部材を介して顎紐を連結させるようにすることができる。そして、このようにスライド可能になったヘッドバンドの端部に、連結部材を介して顎紐を連結させると、顎紐を引っ張ることにより、ヘッドバンドが顎紐と一緒に引っ張られて、ヘッドバンドの周囲長が短くなる一方、顎紐を緩めることにより、ヘッドバンドが顎紐と一緒に緩められるようになる。
【００１４】
【発明の実施の形態】
以下、この発明の一実施形態に係るヘルメットを添付図面に基づいて具体的に説明する。なお、この発明に係るヘルメットは下記のようなものに限定されず、発明の要旨を変更しない範囲において、適宜変更して実施できるものである。
【００１５】
この実施形態におけるヘルメットにおいては、図１に示すように、帽体１０の内周側にハンモック１１を取付部材１２によって取り付け、このハンモック１１に頭部の周囲に装着させるリング状になったヘッドバンド１３を保持させると共に、このヘッドバンド１３の前面側に前面保護部材１４を装着させている。
【００１６】
ここで、このヘルメットにおいては、上記のヘッドバンド１３として、プラスチック材料で構成された帯状体をリング状に巻いて両端が自由に移動できるようにしたものを用いている。
【００１７】
そして、このヘッドバンド１３の両端部にそれぞれ帯状になった可撓性の連結部材１５ａ，１５ｂを取り付け、各連結部材１５ａ，１５ｂをヘッドバンド１３に設けられたガイド部材１３ａ，１３ｂを通して延出させ、このように延出された各連結部材１５ａ，１５ｂの端部にそれぞれ顎紐１６，１７を取り付けるようにしている。
【００１８】
ここで、このヘルメットにおいては、上記の顎紐１６，１７として、長さを調整するための調整機構１６ａを備えると共に端部に係止部１６ｂが設けられた第１の顎紐１６を一方の連結部材１５ａに取り付けると共に、上記の係止部１６と係合する係合部１７ａが端部に設けられた第２の顎紐１７を他方の連結部材１５ｂに取り付けている。
【００１９】
そして、このヘルメットを頭部に装着するにあたっては、上記の第１の顎紐１６に設けられた係止部１６ｂを第２の顎紐１７に設けられた係合部１７ａから外して、上記のヘッドバンド１３の周囲長を長くした状態で、このヘルメットを頭にかぶり、第１の顎紐１６に設けられた係止部１６ｂを第２の顎紐１７に設けられた係合部１７ａに係止させる。
【００２０】
次いで、上記の顎紐１６，１７を引っ張ってヘッドバンド１３の周囲長を調整し、このヘッドバンド１３を頭部の周囲に装着させると共に、第１の顎紐１６に設けられた上記の調整機構１６ａにより顎紐１６の長さを調整して、顎紐１６，１７を顎に装着させるようにする。このようにすると、ヘッドバンド１３の周囲長と顎紐１６，１７の長さとをまとめて調整することができ、ヘルメットを頭部に簡単に装着することができる。
【００２１】
一方、上記のようにして頭部に装着したヘルメットを取り外すにあたっては、上記の第１の顎紐１６に設けられた係止部１６ｂを第２の顎紐１７に設けられた係合部１７ａから外し、或いは上記の調整機構１６ａにより第１の顎紐１６の長さを長くして、顎に装着させた顎紐１６，１７を緩めるようにする。このようにすると、頭部の周囲に装着されているヘッドバンド１３も緩み、ヘルメットを頭部から取り外すことが容易に行えるようになる。
【００２２】
なお、この実施形態におけるヘルメットにおいては、上記のように顎紐１６，１７を分離できるようにしたが、１本の顎紐で長さを調整できるようにしたものを用いることも可能である。
【００２３】
【発明の効果】
以上詳述したように、この発明においては、帽体の内周側において頭部の周囲に装着させるリング状のヘッドバンドが設けられると共に、顎に装着させる顎紐が設けられてなるヘルメットにおいて、リング状になったヘッドバンドの少なくとも一端をスライド可能に設けてその周囲長を変更できるようにすると共に、このスライド可能になったヘッドバンドを顎紐と連動するように連結させたため、この顎紐と連動させて、ヘッドバンドの周囲長を変更できるようになった。
【００２４】
この結果、この発明におけるヘルメットにおいては、顎紐を操作するだけで、ヘッドバンドの周囲長と顎紐の長さとをまとめて調整できるようになり、ヘルメットを頭部に装着したり、ヘルメットを頭部から取り外したりすることが短時間で簡単に行えるようになった。
【００２５】
また、この発明におけるヘルメットにおいては、従来のようにヘッドバンドの周囲長を調整するためだけの機構を設ける必要もなくなり、ヘルメットが軽量化されると共に、コストも低減できるようになった。
【図面の簡単な説明】
【図１】この発明の一実施形態に係るヘルメットの概略底面図である。
【符号の説明】
１０  帽体
１３  ヘッドバンド
１５ａ，１５ｂ  連結部材
１６，１７  顎紐
【図１】
2004250831.tif 000003